(57)【特許請求の範囲】
【請求項１】
テープ状のフィルムに印刷を行う印刷装置と、
前記印刷装置が内設された本体と、
前記本体の向きを検知する３Ｄセンサーと、
前記３Ｄセンサーの検知結果に基づいて前記印刷装置を制御するプロセッサと、を備え、
前記プロセッサは、以下の（ａ）〜（ｃ）の各制御を実行し、
（ａ）前記３Ｄセンサーの検知結果を取得し、
（ｂ）前記検知結果から縦書き又は横書きの書式を決定し、
（ｃ）前記決定の書式による印刷を前記印刷装置に行わせる、
ことを特徴とするラベルプリンター。
【請求項２】
請求項１に記載するラベルプリンターであって、
前記プロセッサに制御されるディスプレイを備え、
前記プロセッサは、さらに、以下の（ｄ）の制御を実行し、
（ｄ）前記印刷装置に行わせる印刷のイメージを前記ディスプレイに表示させる、
ことを特徴とするラベルプリンター。
【請求項３】
請求項１又は請求項２に記載するラベルプリンターであって、
前記プロセッサがアクセス可能な記憶装置を備え、
前記プロセッサは、さらに、以下の（ｅ）〜（ｆ）の制御を実行し、
（ｅ）前記記憶装置に記憶されているデータを読み出し、
（ｆ）前記データを前記印刷装置に行わせる印刷の対象にする、
ことを特徴とするラベルプリンター。
【発明の詳細な説明】
【技術分野】
【０００１】
本発明は、テープ状のフィルムに対する印刷の書式に横書きと縦書きがあるラベルプリンターに関するものである。
【背景技術】
【０００２】
従来のラベルプリンターには、下記特許文献１に記載するように、横書きモードと縦書きモードとがある。横書きモードとは、テープ状のフィルムに対しその長尺方向へ文字等を横に並べる横書きの書式で印刷を行うモードである。縦書きモードとは、テープ状のフィルムに対しその長尺方向へ文字等を縦に並べる縦書きの書式で印刷を行うモードである。
【特許文献１】特開平７−２０５４９５号公報
【発明の開示】
【発明が解決しようとする課題】
【０００３】
しかしながら、下記特許文献１に記載するように、横書きモードから縦書きモードに、又は縦書きモードから横書きモードに変更するには、縦横変換キーの操作によるコマンド入力を行う必要があった。
【０００４】
そこで、本発明は、上述した点を鑑みてなされたものであり、テープ状のフィルムに対する印刷の書式を横書き又は縦書きに変更する際に、その変更のためのキー操作やボタン操作を不要とした新規なラベルプリンターを提供することを課題とする。
【課題を解決するための手段】
【０００５】
この課題を解決するために成された請求項１に係る発明は、ラベルプリンターであって、テープ状のフィルムに印刷を行う印刷装置と、前記印刷装置が内設された本体と、前記本体の向きを検知する３Ｄセンサーと、前記３Ｄセンサーの検知結果に基づいて前記印刷装置を制御するプロセッサと、を備え、前記プロセッサは、以下の（ａ）〜（ｃ）の各制御を実行し、（ａ）前記３Ｄセンサーの検知結果を取得し、（ｂ）前記検知結果から縦書き又は横書きの書式を決定し、（ｃ）前記決定の書式による印刷を前記印刷装置に行わせる、ことを特徴とする。
【０００６】
また、請求項２に係る発明は、請求項１に記載するラベルプリンターであって、前記プロセッサに制御されるディスプレイを備え、前記プロセッサは、さらに、以下の（ｄ）の制御を実行し、（ｄ）前記印刷装置に行わせる印刷のイメージを前記ディスプレイに表示させる、ことを特徴とする。
【０００７】
また、請求項３に係る発明は、請求項１又は請求項２に記載するラベルプリンターであって、前記プロセッサがアクセス可能な記憶装置を備え、前記プロセッサは、さらに、以下の（ｅ）〜（ｆ）の制御を実行し、（ｅ）前記記憶装置に記憶されているデータを読み出し、（ｆ）前記データを前記印刷装置に行わせる印刷の対象にする、ことを特徴とする。
【発明の効果】
【０００８】
すなわち、請求項１に係る発明のラベルプリンターでは、３Ｄセンサーの検知結果から決定された横書き又は縦書きの書式による印刷が行われるので、ユーザーは、本体の向きを変えることにより、テープ状のフィルムに対する印刷の書式を横書き又は縦書きに変更することができる。従って、その際に、その変更のためのキー操作やボタン操作が不要である。
【０００９】
また、請求項２に係る発明のラベルプリンターでは、印刷のイメージがディスプレイに表示されるので、ユーザーは、本体の向きを変えながらディスプレイを見ることによって、テープ状のフィルムに対する印刷の書式が横書き又は縦書きに変更されたことを確認できる。
【００１０】
また、請求項３に係る発明のラベルプリンターでは、記憶データを印刷の対象にすることから、３Ｄセンサーの検知結果である本体の向き等に基づいて文字等が認識されるタッチ入力データだけでなく、それ以外のものを印刷の対象にすることができる。
【発明を実施するための最良の形態】
【００１１】
〔１．本発明の概要〕
以下、本発明の実施の形態を図面を参照にして説明する。図１は、本実施の形態に係るラベルプリンター１の特徴を示した図である。本実施の形態に係るラベルプリンター１では、本体２が横向きと縦向きでは、ＬＣＤ３に表示される入力画面が異なる。本体２が横向きのときの入力画面には、印字テープ３１に対しその長尺方向へ文字等を横に並べる横書きの印刷の書式で印刷イメージがＬＣＤ３に表示される。一方、本体２が縦向きのときの入力画面には、印字テープ３１に対しその長尺方向へ文字等を縦に並べる縦書きの印刷の書式で印刷イメージがＬＣＤ３に表示される。
【００１２】
尚、説明の便宜上、「印刷の書式」を「書式」ともいう。
【００１３】
本体２の向きを横向きから縦向きにすると、ＬＣＤ３に表示されている入力画面の印刷イメージも横書きから縦書きの書式に変更される。逆に、本体２の向きを縦向きから横向きにすると、ＬＣＤ３に表示されている入力画面の印刷イメージも縦書きから横書きの書式に変更される。本体２の向きは、本体２に内蔵されたＳＩセンサー１４で検知される。
【００１４】
ＬＣＤ３には、入力画面中に多数の操作ボタン４１が表示されている。それらの操作ボタン４１のうち印刷ボタンに相当するものにユーザーがタッチパネル４を介して触れると、ＬＣＤ３に表示されている印刷イメージ通りに印字テープ３１が印刷される。従って、本体２が横向きのときは、印字テープ３１に対し、その長尺方向へ文字等を横に並べる横書きの印刷の書式で印刷がなされる。一方、本体２が縦向きのときは、印字テープ３１に対し、その長尺方向へ文字等を縦に並べる縦書きの印刷の書式で印刷がなされる。
【００１５】
尚、図１に示す入力画面は、下記図４に示した手書き入力画面である。手書き入力画面以外には、下記図５に示したボタン入力画面がある。
【００１６】
〔２．ラベルプリンターの外観〕
図２は、本実施の形態に係るラベルプリンター１の外観斜視図である。本実施の形態に係るラベルプリンター１では、ＬＣＤ３、タッチパネル４、及びテープ出口５等を本体２に設けている。ＬＣＤ３は、本発明の「ディスプレイ」に相当する。タッチパネル４は、ＬＣＤ３上に設けられている。テープ出口５からは、印字テープ３１が排出される。印字テープ３１は、テープ状のフィルム等で構成されている。
【００１７】
〔３．ラベルプリンターの内部構成〕
図３は、本実施の形態に係るプリンター１の内部構成を示したブロック図である。本実施の形態に係るプリンター１では、ＣＰＵ１１に対して、タッチパネル４、ＲＯＭ１２、ＲＡＭ１３、ＳＩセンサー１４、２つの駆動回路１５，１６、及びディスプレイコントローラ（以下、「ＬＣＤＣ」という）１７等が接続されている。
【００１８】
タッチパネル４では、ユーザーにより触れた部分の座標位置を特定する。タッチパネル４は、その特定した座標位置情報に基づいてユーザーが触れた位置や軌跡等を判別する。この判別に応じた信号はＣＰＵ１１に入力される。
【００１９】
ＣＰＵ１１では、制御プログラム等が実行される。よって、ＣＰＵ１１は、本実施の形態に係るプリンター１における制御の中枢を担うものである。すなわち、ＣＰＵ１１は、本発明の「プロセッサ」に相当する。ＲＯＭ１２には、制御プログラムや印字データを格納したメモリ領域１２１，１２２等が設けられている。すなわち、ＲＯＭ１２は、本発明の「記憶装置」に相当する。ＲＡＭ１３は、制御プログラムをＣＰＵ１１で実行するときの作業領域等を提供する。ＲＡＭ１３には、イメージバッファ１３１やプリントバッファ１３２等が設けられる。
【００２０】
ＳＩセンサー１４は、本体２の向きを検知する３軸重力センサーである。この検知に応じた信号はＣＰＵ１１に入力される。ＳＩセンサー１４は、本発明の「３Ｄセンサー」に相当する。
ＬＣＤＣ１７には、ＬＣＤ３が接続されている。ＬＣＤＣ１７は、そのＬＣＤ３に表示するためのデータが格納される表示用ＲＡＭ等を備えている。
【００２１】
駆動回路１５には、サーマルヘッド１８が接続されている。駆動回路１５は、印字テープ３１に対する印刷を行う際にそのサーマルヘッド１８を駆動するものである。
駆動回路１６には、テープ送りモータ１９が接続されている。駆動回路１６は、印字テープ３１を外部に排出する際にそのテープ送りモータ１９を駆動するものである。
【００２２】
これらの駆動回路１５，１６は、ＣＰＵ１１が制御プログラムを実行することで作動する。これにより、印字テープ３１をテープ出口５から外部に排出しながら、印字テープ３１に対する印刷を行うことができる。従って、２つの駆動回路１５，１６やサーマルヘッド１８やテープ送りモータ１９等により、本発明の「印刷装置」が構成される。
【００２３】
〔４．ラベルプリンターの入力画面〕
図４は、本実施の形態に係るラベルプリンター１の手書き入力画面を示した図である。図４（ａ）は横書きの印刷の書式での入力画面である。図４（ｂ）は縦書きの印刷の書式での入力画面である。手書き入力画面では、イメージ編集が行われる。さらに、ＬＣＤ３には、手書き入力画面中に多数の操作ボタン４１が表示されている。このイメージ編集では、印刷イメージがＬＣＤ３に表示されている。その印刷イメージの印字テープ上でユーザーがタッチパネル４にタッチペンＰ等で触れると、その触れた軌跡が文字認識の対象にされる。ＬＣＤ３に表示中の印刷イメージは、その認識された文字を含んだ新たな印刷イメージに更新される。
【００２４】
但し、本体２が横向きのときは、図４（ａ）に示すように、ＬＣＤ３に表示中の印刷イメージでは、印字テープがその長尺方向を横にしてＬＣＤ３に表示される。さらに、ＬＣＤ３に表示中の印刷イメージの印字テープ上では、その長尺方向へ文字等が横に並べられる。すなわち、横書きの書式でイメージ編集が行われる。
【００２５】
一方、本体２が縦向きのときは、図４（ｂ）に示すように、ＬＣＤ３に表示中の印刷イメージでは、印字テープがその長尺方向を縦にしてＬＣＤ３に表示される。さらに、ＬＣＤ３に表示中の印刷イメージの印字テープ上では、その長尺方向へ文字等が縦に並べられる。すなわち、縦書きの書式でイメージ編集が行われる。
【００２６】
尚、本体２の向きを横向きから縦向きにすると、手書き入力画面も図４（ａ）から図４（ｂ）に変更される。逆に、本体２の向きを縦向きから横向きにすると、手書き入力画面も図４（ｂ）から図４（ａ）に変更される。
【００２７】
図５は、本実施の形態に係るラベルプリンター１のボタン入力画面を示した図である。図５（ａ）は横書きの印刷の書式での入力画面である。図５（ｂ）は縦書きの印刷の書式での入力画面である。ボタン入力画面でも、イメージ編集が行われる。従って、このイメージ編集でも、印刷イメージがＬＣＤ３に表示されている。さらに、ＬＣＤ３には、ボタン入力画面中に多数の操作ボタン５１が表示されている。操作ボタン５１のいずれかをユーザーがタッチパネル４を介してタッチペンＰ等で触れるボタン操作を行うと、その触れた位置に基づいて文字等を入力することができる。このボタン操作では、ＲＯＭ１２から読み出させた印字データの文字等を入力することもできる。ＬＣＤ３に表示中の印刷イメージは、その入力された文字等を含んだ新たな印刷イメージに更新される。
【００２８】
但し、本体２が横向きのときは、図５（ａ）に示すように、ＬＣＤ３に表示中の印刷イメージは、印字テープがその長尺方向を横にしてＬＣＤ３に表示される。さらに、ＬＣＤ３に表示中の印刷イメージの印字テープ上では、その長尺方向へ文字等が横に並べられる。すなわち、横書きの書式でイメージ編集が行われる。
【００２９】
一方、本体２が縦向きのときは、図５（ｂ）に示すように、ＬＣＤ３に表示中の印刷イメージは、印字テープがその長尺方向を縦にしてＬＣＤ３に表示される。さらに、ＬＣＤ３に表示中の印刷イメージの印字テープ上では、その長尺方向へ文字等が縦に並べられる。すなわち、縦書きの書式でイメージ編集が行われる。
【００３０】
尚、本体２の向きを横向きから縦向きにすると、ボタン入力画面も図５（ａ）から図５（ｂ）に変更される。逆に、本体２の向きを縦向きから横向きにすると、ボタン入力画面も図５（ｂ）から図５（ａ）に変更される。
【００３１】
また、図５に示すボタン入力画面を図４に示す手書き入力画面に変更することもできる。逆に、図４に示す手書き入力画面を図５に示すボタン入力画面に変更することもできる。この入力画面の変更は、多数の操作ボタン４１，５１のうち変更ボタンに相当するものにユーザーがタッチパネル４を介して触れたことを契機にして行われる。
【００３２】
〔５．ラベルプリンターの制御〕
図６は、本実施の形態に係るラベルプリンター１の制御プログラムを示したフローチャート図である。尚、この制御プログラムは、ＣＰＵ１１によって、ＲＯＭ１２からＲＡＭ１３に読み込まれる。
【００３３】
ＣＰＵ１１は、この制御プログラムを実行すると、先ず、ステップ（以下、「Ｓ」とする）１１において、本体２が横向きであるか否かを判定する。この判定は、ＳＩセンサー１４からの検知信号に基づいて行われる。この検知信号で表された３軸の各角度が予め設定された範囲内にあれば、本体２が横向きであると判定される。従って、本体２が斜め向きである場合は、本体２が横向きであると判定されることもあるし、本体２が横向きでないと判定されることもある。尚、その設定範囲は、ユーザーによる設定操作等で変更することが可能である。ここで、本体２が横向きである場合には（Ｓ１１：ＹＥＳ）、ＣＰＵ１１は、Ｓ１２の横書き表示処理を行う。一方、本体２が横向きでない場合には（Ｓ１１：ＮＯ）、ＣＰＵ１１は、Ｓ１３の縦書き表示処理を行う。
【００３４】
Ｓ１２の横書き表示処理では、ＣＰＵ１１は、横書きの書式で展開した編集データをイメージデータとしてイメージバッファ１３１に格納する。この編集データは、下記Ｓ１４の編集データ処理で作成される。さらに、ＣＰＵ１１は、ＬＣＤＣ１７に対し制御信号を送信することで、以下の表示制御を行う。すなわち、イメージバッファ１３１に格納中のイメージデータに基づいて横書きの書式の印刷イメージを作成する。その作成された横書きの書式の印刷イメージを、入力画面に組み込んだ状態でＬＣＤ３に表示する。
【００３５】
その入力画面は、図４（ａ）に示す手書き入力画面又は図５（ａ）に示すボタン入力画面である。デフォルトでは、図４（ａ）に示す手書き入力画面が設定されている。尚、これらの入力画面間の変更は、下記Ｓ１４の編集データ処理で行うことが可能である。
【００３６】
Ｓ１３の縦書き表示処理では、ＣＰＵ１１は、縦書きの書式で展開した編集データをイメージデータとしてイメージバッファ１３１に格納する。この編集データも、下記Ｓ１４の編集データ処理で作成される。さらに、ＣＰＵ１１は、ＬＣＤＣ１７に対し制御信号を送信することで、以下の表示制御を行う。すなわち、イメージバッファ１３１に格納中のイメージデータに基づいて縦書きの書式の印刷イメージを作成する。その作成された縦書きの書式の印刷イメージを、入力画面に組み込んだ状態でＬＣＤ３に表示する。
【００３７】
その入力画面は、図４（ｂ）に示す手書き入力画面又は図５（ｂ）に示すボタン入力画面である。デフォルトでは、図４（ｂ）に示す手書き入力画面が設定されている。尚、これらの入力画面間の変更は、下記Ｓ１４の編集データ処理で行うことが可能である。
【００３８】
ＣＰＵ１１は、Ｓ１２の横書き表示処理又はＳ１３の縦書き表示処理を行った後は、Ｓ１４の編集データ処理を行う。この編集データ処理では、ＬＣＤ３に表示された入力画面を見ながらユーザーによるイメージ編集が行われる。
【００３９】
図４（ａ）又は図４（ｂ）に示す手書き入力画面がＬＣＤ３に表示されている場合には、ＣＰＵ１１は、タッチパネル４からの判別信号に基づいて、ユーザーによりタッチペンＰ等でタッチパネル４に触れた軌跡が示す文字を認識する。これにより、編集データが作成される。
【００４０】
この文字認識では、上記Ｓ１１で判定済みの本体２の向きが考慮されるとともに、ＲＯＭ１２に記憶された縦横の２つの参照テーブル等が使用される。但し、この文字認識に関する処理は、従来から公知の技術であるので、詳細な説明は省略する。
【００４１】
図５（ａ）又は図５（ｂ）に示すボタン入力画面がＬＣＤ３に表示されている場合には、ＣＰＵ１１は、タッチパネル４からの判別信号に基づいて、多数の操作ボタン５１のうちユーザーによりタッチペンＰ等でタッチパネル４に触れた位置にあるボタンがクリックされた判断とする。このようにして、ユーザーによるボタン操作に対応した入力コマンドをＣＰＵ１１が解釈することにより、編集データが作成される。また、このボタン操作では、ＣＰＵ１１に対して、ＲＯＭ１２のメモリ領域１２２から印字データを読み出させ、その印字データの文字等を使用した編集データを作成させることもできる。
【００４２】
尚、図４（ａ）に示す手書き入力画面では、多数の操作ボタン４１のうち変更ボタンに相当するものにユーザーがタッチパネル４を介してタッチペンＰ等で触れると、ＣＰＵ１１は、タッチパネル４からの判別信号に基づいてその旨を判断し、ＬＣＤＣ１７に対し制御信号を送信することにより、図５（ａ）に示すボタン入力画面に変更する。図４（ｂ）に示す手書き入力画面でも、同様であり、図５（ｂ）に示すボタン入力画面に変更される。
【００４３】
逆に、図５（ａ）に示すボタン入力画面では、多数の操作ボタン５１のうち変更ボタンに相当するものにユーザーがタッチパネル４を介してタッチペンＰ等で触れると、ＣＰＵ１１は、タッチパネル４からの判別信号に基づいてその旨を判断し、ＬＣＤＣ１７に対し制御信号を送信することにより、図４（ａ）に示す手書き入力画面に変更する。図５（ｂ）に示すボタン入力画面でも、同様であり、図４（ｂ）に示す手書き入力画面に変更される。
【００４４】
ＣＰＵ１１は、Ｓ１４の編集処理を行った後は、Ｓ１５に進んで、印刷するか否かを判定する。この判定は、以下のようにして行う。すなわち、図４（ａ）又は図４（ｂ）に示す手書き入力画面がＬＣＤ３に表示されている場合には、多数の操作ボタン４１のうち印刷ボタンに相当するものにユーザーがタッチパネル４を介してタッチペンＰ等で触れたときに限り、ＣＰＵ１１は、タッチパネル４からの判別信号に基づいて印刷すると判定する。一方、図５（ａ）又は図５（ｂ）に示すボタン入力画面がＬＣＤ３に表示されている場合には、多数の操作ボタン５１のうち印刷ボタンに相当するものにユーザーがタッチパネル４を介してタッチペンＰ等で触れたときに限り、ＣＰＵ１１は、タッチパネル４からの判別信号に基づいて印刷すると判定する。
【００４５】
ここで、印刷しない場合には（Ｓ１５：ＮＯ）、上記Ｓ１１に戻る。以後、ＬＣＤ３に表示された入力画面を見ながらユーザーによるイメージ編集が引き続いて行われる（Ｓ１１〜Ｓ１４）。一方、印刷する場合には（Ｓ１５：ＹＥＳ）、Ｓ１６に進む。
【００４６】
Ｓ１６では、ＣＰＵ１１は、本体２が横向きであるか否かを判定する。この判定は、上記Ｓ１１と同様にして行われる。ここで、本体２が横向きである場合には（Ｓ１６：ＹＥＳ）、ＣＰＵ１１は、Ｓ１７の横書き印刷処理を行う。一方、本体２が縦向きである場合には（Ｓ１６：ＮＯ）、ＣＰＵ１１は、Ｓ１８の縦書き印刷処理を行う。
【００４７】
Ｓ１７の横書き印刷処理では、ＣＰＵ１１は、先ず、上記Ｓ１２の横書き表示処理と同様な処理を行う。さらに、ＣＰＵ１１は、それに加えて、以下の印刷制御を行う。すなわち、横書きの書式で展開した編集データをプリントデータとしてプリントバッファ１３１に格納する。さらに、２つの駆動回路１５，１６に対し制御信号を送信することで、ＬＣＤ３に表示されている印刷イメージ通りに印字テープ３１を印刷する。
【００４８】
Ｓ１８の縦書き印刷処理では、ＣＰＵ１１は、先ず、上記Ｓ１３の縦書き表示処理と同様な処理を行う。さらに、ＣＰＵ１１は、それに加えて、以下の印刷制御を行う。すなわち、縦書きの書式で展開した編集データをプリントデータとしてプリントバッファ１３１に格納する。さらに、２つの駆動回路１５，１６に対し制御信号を送信することで、ＬＣＤ３に表示されている印刷イメージ通りに印字テープ３１を印刷する。
【００４９】
ＣＰＵ１１は、Ｓ１７の横書き印刷処理又はＳ１８の縦書き印刷処理を行った後は、Ｓ１９に進んで、イメージ編集を終了するか否かを判定する。この判定は、以下のようにして行う。すなわち、図４（ａ）又は図４（ｂ）に示す手書き入力画面がＬＣＤ３に表示されている場合には、多数の操作ボタン４１のうち終了ボタンに相当するものにユーザーがタッチパネル４を介してタッチペンＰ等で触れたときに限り、ＣＰＵ１１は、タッチパネル４からの判別信号に基づいてイメージ編集を終了すると判定する。一方、図５（ａ）又は図５（ｂ）に示すボタン入力画面がＬＣＤ３に表示されている場合には、多数の操作ボタン５１のうち終了ボタンに相当するものにユーザーがタッチパネル４を介してタッチペンＰ等で触れたときに限り、ＣＰＵ１１は、タッチパネル４からの判別信号に基づいてイメージ編集を終了すると判定する。
【００５０】
ここで、イメージ編集を終了しない場合には（Ｓ１９：ＮＯ）、上記Ｓ１１に戻る。以後、ＬＣＤ３に表示された入力画面を見ながらユーザーによるイメージ編集が引き続いて行われる（Ｓ１１〜Ｓ１４）。一方、イメージ編集を終了する場合には（Ｓ１９：ＹＥＳ）、ＣＰＵ１１は、この制御プログラムの実行を終了する。
【００５１】
〔６．まとめ〕
以上詳細に説明したように、本実施の形態に係るラベルプリンター１では、ＳＩセンサー１４の検知結果から本体２の向きを判定する（Ｓ１６）。その判定された本体２の向きが横向きである場合には（Ｓ１６：ＹＥＳ）、図１の左側に示すようにして、印字テープ３１に対し、その長尺方向へ文字等を横に並べる横書きの印刷の書式で印刷がなされる（Ｓ１７）。一方、その判定された本体２の向きが縦向きである場合には（Ｓ１６：ＮＯ）、図１の右側に示すようにして、印字テープ３１に対し、その長尺方向へ文字等を縦に並べる縦書きの印刷の書式で印刷がなされる（Ｓ１８）。よって、ユーザーは、図１に示すようにして、本体２の方向を変えることにより、印字テープ３１に対する印刷の書式を横書き又は縦書きに変更することができる。従って、その際に、その変更のためのキー操作やボタン操作が不要である。
【００５２】
また、本実施の形態に係るラベルプリンター１では、図１，図４，図５に示すように、印刷イメージがＬＣＤ３に表示される（Ｓ１２，Ｓ１３，Ｓ１７，Ｓ１８）。よって、ユーザーは、本体２の向きを変えながらＬＣＤ３を見ることによって、印字テープ３１に対する印刷の書式が横書き又は縦書きに変更されたことを確認できる。
【００５３】
また、本実施の形態に係るラベルプリンター１では、図５（ａ）又は図５（ｂ）に示すボタン入力画面がＬＣＤ３に表示されている場合には、ＲＯＭ１２に記憶されている印字データを使用して編集データを作成することできる（Ｓ１２，Ｓ１３）。よって、ＳＩセンサー１４の検知結果である本体２の向き等に基づいてタッチパネル４にユーザーが触れた軌跡から認識される文字等だけでなく、それ以外のものを印刷の対象にすることができる。
【００５４】
〔７．その他〕
尚、本発明は上記実施の形態に限定されるものでなく、その趣旨を逸脱しない範囲で様々な変更が可能である。
例えば、新たに備えたフラッシュ・メモリに対し、入力画面上で作成した編集データを記憶させる。後に、フラッシュ・メモリから読み出したその編集データを使用して新たな編集データを作成してもよい（Ｓ１２，Ｓ１３）。
【００５５】
また、ＳＩセンサー１４の検知結果から本体２の傾斜角度を取得し、図７に示すようにして、印字テープ３１に対し、その長尺方向へ文字等をその傾斜角度で並べる印刷の書式で印刷を行ってもよい（Ｓ１７，Ｓ１８）。
【産業上の利用可能性】
【００５６】
本発明は、テープ状のフィルムに対する印刷の書式を横書き又は縦書きに変更する技術に適用し得る。
【図面の簡単な説明】
【００５７】
【図１】本発明の一実施形態に係るラベルプリンターの特徴を示した図である。
【図２】同ラベルプリンターの外観斜視図である。
【図３】同ラベルプリンターの内部構成を示したブロック図である。
【図４】同ラベルプリンターの手書き入力画面を示した図であって、（ａ）は横書きの印刷の書式での入力画面、（ｂ）は縦書きの印刷の書式での入力画面を示したものである。
【図５】同ラベルプリンターのボタン入力画面を示した図であって、（ａ）は横書きの印刷の書式での入力画面、（ｂ）は縦書きの印刷の書式での入力画面を示したものである。
【図６】同ラベルプリンターの制御プログラムを示したフローチャート図である。
【図７】同ラベルプリンターのその他の実施形態を示した図である。
【符号の説明】
【００５８】
１  ラベルプリンター
２  本体
３  ＬＣＤ
１１  ＣＰＵ
１２  ＲＯＭ
１３  ＲＡＭ
１４  ＳＩセンサー
１５  駆動回路
１６  駆動回路
１８  サーマルヘッド
１９  テープ送りモータ
３１  印字テープ
【図１】
0004985433.tif 000002
【図２】
0004985433.tif 000003
【図３】
0004985433.tif 000004
【図４】
0004985433.tif 000005
【図５】
0004985433.tif 000006
【図６】
0004985433.tif 000007
【図７】
0004985433.tif 000008